(57)【要約】【課題】画像形成を伴うジョブに関する基本設定操作をユーザから受け付ける基本画面で挿入紙トレイにセットされている挿入紙のサイズを確認することのできる画像形成装置を提供する。【解決手段】画像形成装置本体１０の制御ＣＰＵ２１は、挿入装置６０の各挿入紙トレイ６３にセットされている挿入紙のサイズや残量を示す挿入紙情報を挿入装置６０から取得し、該挿入紙情報と給紙トレイ１４にセットされている用紙のサイズを検出する用紙センサ１８のサの検出結果とに基づいて、コピージョブなど画像形成を伴うジョブに関する基本設定操作をユーザから受け付ける基本画面において、給紙トレイにセットされている用紙のサイズと挿入紙トレイにセットされている挿入紙のサイズを表示する。【選択図】図２
2008260132.tif 000002
【特許請求の範囲】
【請求項１】
給紙トレイと、
前記給紙トレイにセットされている用紙のサイズを検出する用紙センサと、
前記給紙トレイから繰り出した用紙に画像を形成して排出する画像形成部と、
挿入紙トレイと、
前記挿入紙トレイにセットされている挿入紙のサイズを検出する挿入紙センサと、
前記挿入紙トレイから挿入紙を繰り出して前記画像形成部の下流で前記画像形成部から排出された用紙の前または後ろに前記挿入紙を挿入する挿入装置と、
画面の表示とユーザ操作の受け付けを行う表示部と、
前記挿入紙センサと前記用紙センサの検出結果に基づいて、画像形成を伴うジョブに関する基本設定操作をユーザから受け付ける基本画面であって前記給紙トレイにセットされている用紙のサイズの表示と前記挿入紙トレイにセットされている挿入紙のサイズの表示とを含む基本画面を前記表示部に表示させる制御部と
を有する
ことを特徴とする画像形成装置。
【請求項２】
給紙トレイと、
前記給紙トレイにセットされている用紙のサイズを検出する用紙センサと、
前記給紙トレイから繰り出した用紙に画像を形成して排出する画像形成部と、
セットされている挿入紙のサイズを検出する挿入紙センサを備えた挿入紙トレイから前記挿入紙を繰り出して前記画像形成部の下流で前記画像形成部から排出された用紙の前または後ろに前記挿入紙を挿入する挿入装置から前記挿入紙センサの検出結果を取得する通信部と、
画面の表示とユーザ操作の受け付けを行う表示部と、
前記通信部を通じて取得した前記挿入紙センサの検出結果と前記用紙センサの検出結果とに基づいて、画像形成を伴うジョブに関する基本設定操作をユーザから受け付ける基本画面であって前記給紙トレイにセットされている用紙のサイズの表示と前記挿入紙トレイにセットされている挿入紙のサイズの表示とを含む基本画面を前記表示部に表示させる制御部と
を有する
ことを特徴とする画像形成装置。
【請求項３】
前記基本画面において給紙トレイの選択操作を受け付ける
ことを特徴とする請求項１または２に記載の画像形成装置。
【請求項４】
前記基本画面に前記挿入紙トレイにセットされている挿入紙の残量をさらに表示する
ことを特徴とする請求項１または２に記載の画像形成装置。
【請求項５】
前記挿入紙トレイにセットされた不定形の挿入紙に関するサイズ情報の入力操作をユーザから受け付ける
ことを特徴とする請求項１または２に記載の画像形成装置。
【請求項６】
前記挿入紙トレイにセットする挿入紙に関するサイズ情報の設定操作を受け付けると共に、該受け付けたサイズ情報の示す挿入紙のサイズと現時点で前記挿入紙トレイにセットされている挿入紙のサイズとが異なる状態で、前記挿入紙トレイから繰り出される挿入紙の挿入動作を伴うジョブの投入を受け付ける
ことを特徴とする請求項１または２に記載の画像形成装置。
【請求項７】
前記挿入紙トレイのうち挿入紙の給紙元に選択された挿入紙トレイを、挿入紙の給紙元に選択されていない挿入紙トレイと識別して前記基本画面に表示する
ことを特徴とする請求項１または２に記載の画像形成装置。
【請求項８】
画像形成される用紙の給紙元に選択された給紙トレイにセットされている用紙サイズと同一サイズの挿入紙がセットされている挿入紙トレイを前記用紙サイズと同一サイズの挿入紙がセットされていない挿入紙トレイと識別して前記基本画面に表示する
ことを特徴とする請求項１または２に記載の画像形成装置。
【請求項９】
前記基本画面は、コピージョブに関する最初の設定画面である
ことを特徴とする請求項１または２に記載の画像形成装置。
【発明の詳細な説明】
【技術分野】
【０００１】
本発明は、複写機などの画像形成装置に係わり、特に、表紙などとして挿入紙を挿入する挿入装置が接続される画像形成装置に関する。
【背景技術】
【０００２】
複写機などの画像形成装置で画像形成した用紙の前後に、他の印刷装置で既に印刷済みの用紙や特殊紙、厚紙などの挿入紙を挿入して冊子を構成するといった作業を行う場合がある。かかる作業は通常、画像形成装置の後段に接続した後処理装置により画像形成後の後処理として、画像形成用の用紙が積載された給紙トレイとは異なる専用の挿入紙トレイから挿入紙を給紙して行われる。
【０００３】
このような後処理装置を使用した挿入紙機能に関する設定を、画像形成装置本体の操作パネルから行えるようにした画像形成装置がある（たとえば、特許文献１参照。）。
【０００４】
挿入紙機能の設定は、たとえば、図１２に示すようなコピーの基本画面５００で応用設定欄のインターシートボタン５０１を操作すると、図１３に示す挿入紙（インターシート）に関する設定画面５１０に遷移し、この画面５１０でたとえば「オモテ表紙」の設定ボタン５１１を選択すると、図１４に示すような挿入紙選択画面５２０が表示され、この画面５２０で後処理装置が備える各挿入紙トレイにセットされている挿入紙のサイズを確認し、挿入紙の給紙元となる挿入紙トレイの選択操作を行うといった手順で行われていた。図１４の例ではオモテ表紙の給紙元の挿入紙トレイとして、トレイ２（Ａ４）が選択されている。
【０００５】
【特許文献１】特開２００３−１５６８９３号公報
【発明の開示】
【発明が解決しようとする課題】
【０００６】
特許文献１に開示された装置では、後処理装置にセットされている挿入紙の種類やサイズあるいは残量が十分あるかなどに関しては、後処理装置の挿入紙トレイを直接確認しなければならず不便であった。特に、後処理装置の内部に挿入紙トレイが隠れていて、たとえば、本体扉を開いたり、カセットを取り出したりしなければ挿入紙のサイズや残量を目視確認できないような場合にはその不便が大きい。
【０００７】
また、通常、挿入紙を挿入する場合、画像形成装置から画像形成されて排出される用紙と後処理装置で挿入する挿入紙のサイズとを同一サイズに設定する必要がある。しかし、コピーの基本画面で給紙トレイを選択して画像形成用の用紙サイズを設定した後、前述したような手順で挿入紙選択画面まで遷移したとき、必要サイズの挿入紙が挿入紙トレイにセットされていないことに初めて気づく場合もある。かかる場合には、その時点で挿入紙のセットを行うか、ジョブの投入作業を中止することになり、作業効率が良くないという問題があった。
【０００８】
本発明は、上記の問題を解決しようとするものであり、画像形成を伴うジョブに関する基本設定操作をユーザから受け付ける基本画面において給紙トレイにセットされている用紙のサイズと挿入紙トレイにセットされている挿入紙のサイズとを確認することのできる画像形成装置を提供することを目的としている。
【課題を解決するための手段】
【０００９】
かかる目的を達成するための本発明の要旨とするところは、次の各項の発明に存する。
【００１０】
［１］給紙トレイと、
前記給紙トレイにセットされている用紙のサイズを検出する用紙センサと、
前記給紙トレイから繰り出した用紙に画像を形成して排出する画像形成部と、
挿入紙トレイと、
前記挿入紙トレイにセットされている挿入紙のサイズを検出する挿入紙センサと、
前記挿入紙トレイから挿入紙を繰り出して前記画像形成部の下流で前記画像形成部から排出された用紙の前または後ろに前記挿入紙を挿入する挿入装置と、
画面の表示とユーザ操作の受け付けを行う表示部と、
前記挿入紙センサと前記用紙センサの検出結果に基づいて、画像形成を伴うジョブに関する基本設定操作をユーザから受け付ける基本画面であって前記給紙トレイにセットされている用紙のサイズの表示と前記挿入紙トレイにセットされている挿入紙のサイズの表示とを含む基本画面を前記表示部に表示させる制御部と
を有する
ことを特徴とする画像形成装置。
【００１１】
［２］給紙トレイと、
前記給紙トレイにセットされている用紙のサイズを検出する用紙センサと、
前記給紙トレイから繰り出した用紙に画像を形成して排出する画像形成部と、
セットされている挿入紙のサイズを検出する挿入紙センサを備えた挿入紙トレイから前記挿入紙を繰り出して前記画像形成部の下流で前記画像形成部から排出された用紙の前または後ろに前記挿入紙を挿入する挿入装置から前記挿入紙センサの検出結果を取得する通信部と、
画面の表示とユーザ操作の受け付けを行う表示部と、
前記通信部を通じて取得した前記挿入紙センサの検出結果と前記用紙センサの検出結果とに基づいて、画像形成を伴うジョブに関する基本設定操作をユーザから受け付ける基本画面であって前記給紙トレイにセットされている用紙のサイズの表示と前記挿入紙トレイにセットされている挿入紙のサイズの表示とを含む基本画面を前記表示部に表示させる制御部と
を有する
ことを特徴とする画像形成装置。
【００１２】
上記［１］および［２］に記載の発明では、画像形成を伴うジョブに関する基本設定操作をユーザから受け付ける基本画面に、給紙トレイにセットされている用紙のサイズと挿入紙トレイにセットされている挿入紙のサイズとが表示される。基本画面で画像形成用の用紙のサイズと挿入紙のサイズとを確認できるので、必要サイズの用紙と挿入紙がセットされているか否かを挿入紙に関する設定画面に遷移する前に基本画面で確認することができる。基本画面とは、画像形成を伴うジョブを投入する際の基本的事項の設定を受ける画面であり、そのジョブを投入する際に通常は最初に現れる画面である。なお、所定のジョブ（たとえば、コピージョブ）に関する基本画面が待機画面として表示されてもよい。
【００１３】
なお  上記［１］に記載の画像形成装置は挿入装置と画像形成装置本体との組み合わせとして構成されてもよいし、これらを一体とした装置として構成されてもよい。また上記［２］に記載の画像形成装置では画像形成装置の後段に別体の挿入装置が接続される。
【００１４】
［３］前記基本画面において給紙トレイの選択操作を受け付ける
ことを特徴とする［１］または［２］に記載の画像形成装置。
【００１５】
上記発明では、セットされている画像形成用の用紙のサイズと挿入紙のサイズとを基本画面で確認した後、その基本画面において画像形成用の用紙の給紙元にする給紙トレイ（すなわち、用紙）を選択することができる。
【００１６】
［４］前記基本画面に前記挿入紙トレイにセットされている挿入紙の残量をさらに表示する
ことを特徴とする［１］または［２］に記載の画像形成装置。
【００１７】
上記発明では、挿入紙を補給すべきか否かを基本画面で確認できるので、挿入紙の装填作業に関する早期対応が可能になる。
【００１８】
［５］前記挿入紙トレイにセットされた不定形の挿入紙に関するサイズ情報の入力操作をユーザから受け付ける
ことを特徴とする［１］または［２］に記載の画像形成装置。
【００１９】
［６］前記挿入紙トレイにセットする挿入紙に関するサイズ情報の設定操作を受け付けると共に、該受け付けたサイズ情報の示す挿入紙のサイズと現時点で前記挿入紙トレイにセットされている挿入紙のサイズとが異なる状態で、前記挿入紙トレイから繰り出される挿入紙の挿入動作を伴うジョブの投入を受け付ける
ことを特徴とする［１］または［２］に記載の画像形成装置。
【００２０】
上記発明では、現時点でセットされていない挿入紙のサイズを指定した状態で、挿入紙の挿入動作を伴うジョブの投入が可能になる。必要サイズの挿入紙をセットする作業を後回しにして、ジョブ投入の作業を効率良く進めることができる。
【００２１】
［７］前記挿入紙トレイのうち挿入紙の給紙元に選択された挿入紙トレイを、挿入紙の給紙元に選択されていない挿入紙トレイと識別して前記基本画面に表示する
ことを特徴とする［１］または［２］に記載の画像形成装置。
【００２２】
上記発明では、挿入紙を別画面で選択した後、基本画面に戻ったとき、どの挿入紙が選択されているかを基本画面において再確認することができ、利便性が高まる。
【００２３】
［８］画像形成される用紙の給紙元に選択された給紙トレイにセットされている用紙サイズと同一サイズの挿入紙がセットされている挿入紙トレイを前記用紙サイズと同一サイズの挿入紙がセットされていない挿入紙トレイと識別して前記基本画面に表示する
ことを特徴とする［１］または［２］に記載の画像形成装置。
【００２４】
上記発明では、基本画面において画像形成用の用紙を選択すると、その用紙サイズと同じサイズの挿入紙がセットされている挿入紙トレイのみが識別表示され、その挿入紙トレイを選択すべきか、あるいは必要サイズの挿入紙がセットされていないことを迅速容易に目視確認することができる。
【００２５】
［９］前記基本画面は、コピージョブに関する最初の設定画面である
ことを特徴とする［１］または［２］に記載の画像形成装置。
【発明の効果】
【００２６】
本発明に係る画像形成装置によれば、画像形成を伴うジョブに関する基本設定操作をユーザから受け付ける基本画面において、給紙トレイにセットされている用紙のサイズと挿入紙トレイにセットされている挿入紙のサイズの双方を確認することができる。これにより、ユーザの所望する出力物の作成が、現時点でセットされている用紙および挿入紙で可能か否かを基本画面で確認でき、ジョブの投入作業を効率良く進めることができる。
【発明を実施するための最良の形態】
【００２７】
以下、図面に基づき本発明の実施の形態を説明する。
【００２８】
図１は、本発明の一実施の形態に係る画像形成装置５の機械的構成を示す断面図である。画像形成装置５は、画像形成装置本体１０の後段に後処理装置の一種である挿入装置６０を接続して構成される。画像形成装置本体１０は、原稿を光学的に読み取って得た画像を記録紙に印刷して出力するコピー機能、原稿を光学的に読み取って得た画像データを外部機器へ出力するスキャン機能、その画像データを保存する保存機能、プリンタ機能などを備えた複合機として構成されている。挿入装置６０は、画像形成装置本体１０から排出された用紙の前または後ろに挿入紙を挿入する装置である。
【００２９】
画像形成装置本体１０は、原稿画像を読み取るスキャナ部１１と、原稿トレイに載置された原稿を１枚ずつスキャナ部１１の原稿読み取り位置へ繰り出す自動原稿送り装置１２と、用紙上に画像を形成して出力するプリンタ部１３とを備えている。スキャナ部１１は、原稿を照射する光源と、原稿をその幅方向に１ライン分読み取るラインイメージセンサと、ライン単位の読み取り位置を原稿の長さ方向に移動させる移動手段と、原稿からの反射光をラインイメージセンサに導いて結像させるレンズやミラーからなる光学経路などで構成される。
【００３０】
プリンタ部１３は、画像形成用の用紙を蓄えるための複数の給紙トレイ１４と、用紙上に画像を形成する画像形成部１５と、いずれかの給紙トレイ１４から用紙を繰り出し、画像形成部１５を通過させて後段の挿入装置６０へと排出する用紙の搬送機構１６などで構成される。本実施の形態に係る画像形成部１５は、感光体、帯電装置、レーザーユニット、現像装置、転写装置、分離装置、クリーニング装置、定着装置などで構成され、電子写真プロセスによって画像を用紙上に形成する。
【００３１】
各給紙トレイ１４には、その給紙トレイ１４内にセットされている用紙のサイズや残量を検出する用紙センサ１８が設けられている。
【００３２】
挿入装置６０は、画像形成装置本体１０から排出された用紙を受け入れ、該用紙を排紙トレイ６１へと搬送する主搬送路６２と、挿入紙がセットされる複数の挿入紙トレイ６３と、設定された挿入紙トレイ６３から挿入紙を繰り出して主搬送路６２の途中の合流箇所へ送り込む副搬送路６４などから構成される。挿入紙トレイ６３から繰り出した挿入紙を主搬送路６２との合流箇所へ、画像形成装置本体１０から受け入れた用紙がその合流箇所を通過する前または後ろとなるタイミングで送り込むことにより、オモテ表紙やウラ表紙としてあるいは途中のページに挿入紙が挿入された状態となって印刷物が挿入装置６０の排紙トレイ６１に積載される。
【００３３】
各挿入紙トレイ６３には、その挿入紙トレイ６３にセットされている挿入紙のサイズや残量を検出する挿入紙センサ６５が設けられている。なお、給紙トレイ１４はセットされた用紙が画像形成部１５を通過するのに対して、挿入紙トレイ６３にセットされた挿入紙は画像形成部１５を通過せず、画像形成部１５の後段で画像形成部１５から排出された用紙の前後に挿入される。
【００３４】
図２は、画像形成装置５の電気的な概略構成を示すブロック図である。画像形成装置本体１０は、本体制御部２０にスキャナ部１１、プリンタ部１３、ユーザインターフェースを司る操作表示部３０、ＦＮＳ制御部３５などを接続して構成される。
【００３５】
操作表示部３０は、表面にタッチパネルを備えた表示装置としての液晶ディスプレイ（ＬＣＤ…Liquid Crystal Display）とスタートボタンなどの操作スイッチとから構成され、各種の設定画面や案内画面を表示したり、ユーザから各種の操作を受け付けたりする。画像形成装置本体１０はこの操作表示部３０を通じてユーザからジョブに関する各種の設定操作、ジョブの投入操作などを受け付ける。ジョブには、原稿をコピーするコピージョブ、印刷データに基づいて印刷するプリントジョブなどがある。
【００３６】
本体制御部２０は、画像形成装置本体１０の動作を統括制御する制御部としての制御ＣＰＵ（Central Processing Unit）２１を備えている。制御ＣＰＵ２１には互いに独立した画像バス２２とシステムバス２３とが接続されている。
【００３７】
画像バス２２には読み取り処理部２４と書き込み処理部２５が接続されている。読み取り処理部２４は、スキャナ部１１から入力される画像データに対して逐次、シーディング補正／輝度濃度変換、濃度γ変換、誤差拡散などの画像処理を施す回路である。書き込み処理部２５はプリンタ部１３へ出力される画像データに対して、セル平均化、解像度変換、プリンタγ変換、微小変倍、スクリーン処理などの画像処理を施す回路である。
【００３８】
システムバス２３には、プログラムメモリ２６と、システムメモリ２７と、不揮発メモリ２８と、表示用メモリであるＶＲＡＭ３１と、ＬＣＤコントローラ３２とが接続されている。プログラムメモリ２６は制御ＣＰＵ２１が実行するプログラムを格納する。システムメモリ２７は制御ＣＰＵ２１がプログラムを実行する際に各種のデータを一時的に格納するワークメモリや画像メモリとして使用される。
【００３９】
不揮発メモリ２８には、ユーザ名やパスワードなどユーザ情報、ジョブの設定内容や所有者などそのジョブの属性を表わすジョブ情報、その他電源がオフしても保存しておくべき各種の情報（使用度数を示すカウンタなど）が記憶される。
【００４０】
ＶＲＡＭ(video Random Access Memory）３１は、操作表示部３０の液晶ディスプレイ（ＬＣＤ）に表示させる画面のデータを記憶するためのメモリである。ＬＣＤコントローラ３２はＶＲＡＭ３１に記憶されているデータに基づく画面を操作表示部３０の液晶ディスプレイ（ＬＣＤ）に表示させるための制御を行う。
【００４１】
プリンタ部１３は用紙の搬送機構１６や画像形成部１５などの動作を制御する制御部１９を備えている。制御部１９はＣＰＵなどを主要部として構成される。制御部１９には、各給紙トレイ１４の用紙センサ１８などが接続されている。制御部１９はシステムバス２３を介して制御ＣＰＵ２１に接続されている。制御ＣＰＵ２１は制御部１９を介してプリンタ部１３の動作を制御する。また、用紙センサ１８などの検出結果を制御部１９およびシステムバス２３を通じて入力するようになっている。
【００４２】
挿入装置６０は、主搬送路６２や副搬送路６４などの動作を制御するため制御部６６を備えている。制御部６６はＣＰＵなどを主要部として構成される。制御部６６には各挿入紙トレイ６３の挿入紙センサ６５などが接続されている。挿入装置６０の制御部６６はＦＮＳ制御部３５およびシステムバス２３を介して画像形成装置本体１０の制御ＣＰＵ２１に接続されている。制御ＣＰＵ２１はＦＮＳ制御部３５を介して挿入装置６０の動作を制御する。また制御ＣＰＵ２１は挿入紙センサ６５などの検出結果を制御部６６およびＦＮＳ制御部３５、システムバス２３を通じて入力するようになっている。
【００４３】
図３は、コピージョブに関する各種設定が行われるコピー基本画面４０の一例を示している。コピー基本画面４０は、制御ＣＰＵ２１が画面のデータをＶＲＡＭ３１に作成し、ＬＣＤコントローラ３２によってその画面を操作表示部３０に表示させるという制御の元で操作表示部３０に表示される。操作表示部３０に表示される各画面の上部には、横一列に配列されたタグボタン５１と、画像形成装置本体１０の現在の状態に関する基本事項を表示するための基本情報表示部５２が設けられている。タグボタン５１を選択することで表示画面が切り替わるようになっている。
【００４４】
コピー基本画面４０は、コピーのタグボタン５１ａが操作されると表示される。コピー基本画面４０では基本情報表示部５２の下方に、原稿設定４１、画質設定４２、倍率設定４３、片面／両面設定４４、応用設定４５、出力設定４６、用紙設定４７の各設定欄が設けられている。各設定欄４１〜４７には設定のための案内情報や操作ボタンが表示されるほか、各設定項目に対する現時点の設定内容が表示されている。
【００４５】
たとえば、原稿設定は、原稿の読み込み方法(連続・単葉)やスキャナ部１１にセットされた原稿の向きに関する設定である。図３に示すコピー基本画面４０では、原稿の読み込み方法は「連続読込み」に、原稿の向きは「上向き」にそれぞれ設定されている。なお、応用設定欄４５に表示されているインターシートボタン４５ａは、インターシート機能をオンオフするための操作ボタンである。インターシート機能は、プリンタ部１３から排出された用紙と用紙との間に別途の挿入紙（シート）を挿入装置６０で挿入させる機能である。図３の例ではインターシート機能はオフになっている。
【００４６】
用紙設定欄４７には、画像形成装置本体１０の本体に設けられている各給紙トレイ１４に１対１に対応付けされたトレイ選択表示ボタン４７ａ〜４７ｅが表示されている。この例では、トレイ番号が「トレイ１」〜「トレイ５」の５個の給紙トレイ１４に対応するトレイ選択表示ボタン４７ａ〜４７ｅが表示されている。各トレイ選択表示ボタン４７ａ〜４７ｅは対応する給紙トレイ１４を選択するための操作ボタンとしての機能を有する。また、対応する給紙トレイ１４にセットされている用紙のサイズや紙種、坪量、残量などが表示されている。
【００４７】
用紙設定欄４７の下方には、挿入装置６０の各挿入紙トレイ６３にセットされている挿入紙のサイズおよび残量を表示する挿入紙情報表示欄４８が設けられている。この例では、挿入紙トレイ番号が「ＰＩ１」から「ＰＩ３」の３個の挿入紙トレイ６３と１対１に対応付けされた挿入紙情報表示欄４８ａ〜４８ｃが表示されている。
【００４８】
なお、用紙予約設定ボタン４９を操作すれば、現時点で挿入されている用紙と異なる任意の用紙が給紙トレイ１４にセットされた状態を仮想的に設定して、出力時の給紙トレイ１４を選択することができる。用紙予約設定を行えば、その設定したサイズの用紙が現時点でその給紙トレイ１４にセットされていない状態のままでジョブを投入することができる。たとえば、コピージョブの場合は、用紙予約設定で設定したサイズの用紙が現時点でその給紙トレイ１４にセットされていない状態のまま原稿をスキャナ部１１にて読み取ってジョブを予約することができる。
【００４９】
次に、コピージョブに関する設定画面の表示動作について説明する。
【００５０】
図４は、コピー基本画面４０の表示に関する基本的動作の流れを示している。画像形成装置本体１０の制御ＣＰＵ２１は、図３に示すようなコピー基本画面４０を待機画面としてデフォルト表示するほか、画面最上部に配列されたタグボタン５１の中のコピーのタグボタン５１ａがユーザによって選択操作された場合に表示する（ステップＳ１０１）。
【００５１】
具体的には、制御ＣＰＵ２１は各給紙トレイ１４にセットされている用紙のサイズや残量を各用紙センサ１８の検出結果に基づいて認識し、該認識した内容に対応するように各トレイ選択表示ボタン４７ａ〜４７ｅの表示（用紙サイズや残量、紙種の表示など）を行う。また、制御ＣＰＵ２１は、挿入装置６０の挿入紙センサ６５によって検出された各挿入紙トレイ６３にセットされている挿入紙のサイズ、残量などを示す挿入紙情報を、通信部としてのＦＮＳ制御部３５を介して取得し、該取得した挿入紙情報の内容に対応するように各挿入紙情報表示欄４８の表示（挿入紙のサイズや残量、紙種の表示など）を行う。
【００５２】
挿入紙センサ６５によって検出された各挿入紙トレイ６３にセットされている挿入紙のサイズ、残量などを示す挿入紙情報の取得は継続して行われる。制御ＣＰＵ２１はこの継続的な挿入紙情報の取得から、挿入装置６０の挿入紙トレイ６３にセットされている挿入紙の状態（挿入紙のサイズや残量、紙種など）が変化したことを検出すると（ステップＳ１０２；Ｙ）、変化後の内容に従って各挿入紙情報表示欄４８の表示内容を変更する（ステップＳ１０３）。たとえば、「ＰＩ１」の挿入紙トレイ６３にセットされている挿入紙がＡ４からＢ５に変更された場合は、「ＰＩ１」に対応する挿入紙情報表示欄４８ａのサイズ表示をＡ４からＢ５に変更する。
【００５３】
また、コピー基本画面４０においていずれかのトレイ選択表示ボタン４７ａ〜４７ｅが選択操作されて画像形成用の給紙トレイ１４が選択されると（ステップＳ１０４；Ｙ）、その選択された給紙トレイ１４にセットされている用紙のサイズと同じサイズの挿入紙がセットされている挿入紙トレイ６３の挿入紙情報表示欄４８はそのまま表示し、選択された給紙トレイ１４にセットされている用紙のサイズと同じサイズの挿入紙がセットされていない挿入紙トレイ６３の挿入紙情報表示欄４８は非表示（たとえば、グレーアウト表示）にする（ステップＳ１０５）。
【００５４】
図５は、Ａ４サイズの用紙がセットされている「トレイ１」のトレイ選択表示ボタン４７ａが選択されたとき（図では枠の太線表示により選択状態を示している）、Ｂ５サイズの挿入紙がセットされていた「ＰＩ３」の挿入紙情報表示欄４８ｃがグレーアウト表示された様子を例示している。
【００５５】
このような表示を行うことにより、画像形成用に選択した用紙と同一サイズの挿入紙が挿入装置６０の挿入紙トレイ６３にセットされているか否かを一目で認識することができると共に、不要な挿入紙トレイ６３に関する情報が非表示（もしくはグレーアウト表示）になるため、必要な挿入紙トレイ６３に関する情報の確認が容易になり、利便性・操作性が向上する。
【００５６】
図６は、コピー基本画面４０においてインターシート機能が選択された場合の表示制御の流れを示している。画像形成装置本体１０の制御ＣＰＵ２１は、画面最上部に配列されたタグボタン５１の中のコピーのタグボタン５１ａが選択されると、図３に示すようなコピー基本画面４０を操作表示部３０に表示させる（ステップＳ２０１）。ここで、インターシートボタン４５ａが選択操作されると（ステップＳ２０２；Ｙ）、図１１と同様の内容を有するインターシート設定画面（図示省略）を表示する(ステップＳ２０３)。
【００５７】
このインターシート設定画面で、たとえば、オモテ表紙の選択ボタンが操作されると、図７に示すような挿入紙選択画面７０を表示する。この画面７０でオモテ表紙を「表紙あり」が選択され、さらにオモテ表紙として挿入する挿入紙の給紙元の挿入紙トレイに対応する挿入紙選択ボタン７２が選択されると、制御ＣＰＵ２１は選択内容を示す情報を内部メモリに保持する(ステップＳ２０５)。
【００５８】
その後、ＯＫボタン７１の操作によりインターシート機能に関する設定の確定操作を受けると(ステップＳ２０６；Ｙ)、上記の操作で選択された挿入紙トレイ６３に対応する挿入紙情報表示欄４８を選択状態（アクティブ）に変更してコピー基本画面４０を再表示する(ステップＳ２０７)。これにより、挿入紙の給紙元に選択された挿入紙トレイ６３に対応する挿入紙情報表示欄４８は他の挿入紙トレイ６３に対応する挿入紙情報表示欄４８と識別可能な異なる態様でコピー基本画面４０に表示される。
【００５９】
図８は、インターシート機能が設定され、かつ「ＰＩ１」の挿入紙トレイ６３が挿入紙の給紙元に選択されている場合のコピー基本画面４０の一例を示している。「ＰＩ１」の挿入紙情報表示欄４８ａがアクティブ（選択）状態で表示（図で枠を太線表示）されている。
【００６０】
このように、本実施の形態に係る画像形成装置本体１０ではコピー基本画面４０にトレイ選択表示ボタン４７ａ〜４７ｅと挿入紙情報表示欄４８とを設けているので、画像形成装置本体１０の給紙トレイ１４にセットされている挿入紙に関する情報（用紙サイズ、残量など）と挿入装置６０の挿入紙トレイ６３にセットされている挿入紙に関する情報（挿入紙サイズ、残量など）とをコピー基本画面４０において同時に確認することができる。これにより、現時点で給紙トレイ１４にセットされている用紙および挿入紙トレイ６３にセットされている挿入紙を用いてユーザの所望する出力物の作成が可能か否かをコピー基本画面４０にて確認することができ、インターシート機能を使用するコピージョブの投入作業を効率良く行うことができる。
【００６１】
すなわち、コピー基本画面４０から挿入紙選択画面７０へ遷移してインターシートに関する各種設定を行う前に上記の確認がコピー基本画面４０にて可能になるので、挿入紙選択画面７０まで遷移したときに初めて必要サイズの挿入紙が挿入紙トレイ６３にセットされていないことに気づき、それまでの設定が無駄になったり、その時点で挿入紙のセット作業が発生したりすることがなくなり、インターシート機能を使用するジョブの投入に関する操作性・利便性が高まる。
【００６２】
特に、挿入装置６０の内部に挿入紙トレイ６３が隠れていて、たとえば、挿入装置６０の本体扉を開いたり、カセットを取り出したりしなければ挿入紙のサイズや残量を目視確認できないような場合には、本実施の形態の画像形成装置本体１０のように挿入紙トレイにセットされている挿入紙の情報をコピー基本画面４０で確認可能となることにより、作業効率が大幅に改善する。
【００６３】
次に、インターシートの設定に関するその他の設定機能について説明する。
【００６４】
画像形成装置本体１０では、図７の挿入紙選択画面７０に表示されている挿入紙予約設定ボタン７５を操作すれば、現時点でセットされている挿入紙と異なる任意の挿入紙が挿入紙トレイ６３にセットされた状態を仮想的に設定して、出力時の挿入紙トレイ６３を選択し、挿入紙の挿入動作を伴うジョブを投入できるようになっている。
【００６５】
たとえば、挿入紙選択画面７０で「ＰＩ１」に対応する挿入紙選択ボタン７２を選択した状態で挿入紙予約設定ボタン７５を選択すると、図９に示すような挿入紙サイズ設定画面８０が表示され、この画面８０にて挿入紙のサイズを任意に設定することができる。
【００６６】
上述した挿入紙予約設定を行えば、その設定したサイズの挿入紙が現時点で挿入紙トレイ６３にセットされていない状態のままで挿入紙の挿入動作を伴うジョブを投入することができる。たとえば、インターシート機能を伴うコピージョブの場合は、挿入紙予約設定で設定したサイズの挿入紙が現時点で挿入紙トレイ６３にセットされていない状態のままでジョブを投入し該当の原稿をスキャナ部１１で読み取ってジョブを予約することができる。
【００６７】
コピー基本画面４０に戻った際には、コピー基本画面４０内の該当する挿入紙情報表示欄４８の挿入紙サイズの表示は、挿入紙予約設定で設定されたサイズに切り替わる。また、挿入紙予約を行ったジョブの実行時に予約されたサイズの挿入紙がセットされていなければ、その時点で警告を発するようになっている。
【００６８】
このように、挿入紙予約設定が可能なことにより、挿入紙のセット作業を後回しにしたままでインターシート機能を使用したジョブを投入して原稿の読み込み動作などを実行することができるので、挿入紙のセットを即座に行うことが必須である場合に比べて、原稿の読み込み作業だけを先行させて行うといった融通性が増し、全体としての作業効率を高めることができる。
【００６９】
次に、挿入紙サイズの数値入力設定について説明する。
【００７０】
本実施の形態に係る画像形成装置本体１０では、挿入紙トレイ６３に不定形サイズの挿入紙がセットされている場合に、その挿入紙のサイズを数値入力で設定できるようになっている。なお、定形サイズとは、Ａ４やＢ４、リーガルなどのように所定の規格によって用紙の標準サイズとして規定されているサイズである。ここでは、一般にいう定形サイズのうち画像形成装置本体１０で予め取り扱い対象に設定されている特定種類のみを定形サイズとし、それ以外のサイズは不定形サイズとしている。
【００７１】
図９に示した挿入紙サイズ設定画面８０においてサイズ入力ボタン８２を操作すると、図１０に例示するようなサイズ入力画面９０がポップアップ表示され、任意の挿入紙サイズ（挿入紙の長さ（１）、幅（２））をテンキー９１で数値入力できるようになっている。
【００７２】
図示省略するが、数値入力されると、その数値もしくは数値設定されたことを示す特殊マークがコピー基本画面４０のその挿入紙トレイ６３に対応する挿入紙情報表示欄４８に表示される。また、図７に示すように、挿入紙選択画面７０では不定形サイズの挿入紙がセットされている挿入紙トレイ６３に対応する挿入紙選択ボタン７２には「不定形」の文字列が表示される。
【００７３】
図１１は、上述した不定形サイズの表示および数値入力に関する処理の流れを示している。制御ＣＰＵ２１はコピー基本画面４０を表示する際に、挿入装置６０から挿入紙トレイ６３にセットされている挿入紙のサイズ情報を取得し、そのサイズが定形サイズならば（ステップＳ３０２；Ｎ）、コピー基本画面４０の対応する挿入紙情報表示欄４８にその定形サイズをその挿入紙トレイ６３にセットされている挿入紙のサイズとして表示する（ステップＳ３０３）。なお、挿入紙選択画面７０においても、その挿入紙トレイ６３にセットされている挿入紙のサイズとして定形サイズが表示される。
【００７４】
挿入紙トレイ６３にセットされている挿入紙のサイズが不定形サイズの場合は、コピー基本画面４０の該当する挿入紙情報表示欄４８に、挿入紙のサイズが不定形であることを表示する（ステップＳ３０４）。なお、挿入紙選択画面７０の例では「不定形」の文字列が表示されている。
【００７５】
この状態で図９の挿入紙サイズ設定画面８０に移動してサイズ入力ボタン８２が選択操作されると（ステップＳ３０５；Ｙ）、図１０のサイズ入力画面９０を表示して該画面９０にてユーザから挿入紙のサイズ情報を数値入力にて受け付ける（ステップＳ３０６）。不定形サイズの挿入紙に関するサイズ情報が数値入力された場合は、その数値もしくは数値設定されたことを示す特殊マークをコピー基本画面４０のその挿入紙トレイ６３に対応する挿入紙情報表示欄４８に表示する（ステップＳ３０７）。また挿入紙選択画面７０の該当する挿入紙選択ボタン７２に不定形の文字を表示する。
【００７６】
このように、挿入紙が不定形サイズの場合にそのサイズを数値入力することができるので、不定形サイズの挿入紙のサイズをコピー基本画面４０や挿入紙選択画面７０で確認することができる。
【００７７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７８】
たとえば、実施の形態では画像形成装置５を画像形成装置本体１０とその後段に接続された挿入装置６０とに分けて構成したが、一体として構成されてもかまわない。また、挿入装置６０を後付けの別装置とし、画像形成装置本体１０を挿入装置６０と組み合わせ可能な画像形成装置として構成してもよい。
【００７９】
また、コピー基本画面４０におけるトレイ選択表示ボタン４７ａ〜４７ｅや挿入紙情報表示欄４８の表示形態は一例であり、これに限定されるものではなく、表示態様は任意でよい。また、コピー基本画面４０を例に説明したが、画像形成を伴うジョブに関する設定を行う際に最初に表示される設定画面であれば、たとえば、印刷データに基づくプリントジョブに関する基本画面などであってもかまわない。この場合、ネットワークなどに接続されたパーソナルコンピュータのプリンタドライバ画面にコピー基本画面４０と同様の画面を表示してもよい。すなわち、給紙トレイ１４にセットされている用紙のサイズや残量を示す情報と挿入装置６０の挿入紙トレイ６３にセットされている挿入紙のサイズや残量を示す情報とをプリンタドライバ画面のプリントジョブに関する基本画面に表示するようにすればよい。
【００８０】
実施の形態では、挿入紙情報表示欄４８はサイズ情報などの表示機能のみを有したが操作ボタンとしての機能を有する構成でもかまわない。たとえば、挿入紙情報表示欄４８を操作することで、挿入紙の給紙元の挿入紙トレイ６３を変更できるように構成されてもよい。
【図面の簡単な説明】
【００８１】
【図１】本発明の一実施の形態に係る画像形成装置の機械的構成を示す断面図である。
【図２】本発明の一実施の形態に係る画像形成装置の電気的な概略構成を示すブロック図である。
【図３】本発明の一実施の形態に係る画像形成装置の操作表示部に表示されるコピー基本画面の一例を示す説明図である。
【図４】本発明の一実施の形態に係る画像形成装置におけるコピー基本画面の表示に関する基本的動作の流れを示す流れ図である。
【図５】選択された用紙とサイズが不一致の挿入紙トレイに対応する挿入紙情報表示欄が非表示にされた状態のコピー基本画面の一例を示す説明図である。
【図６】本発明の一実施の形態に係る画像形成装置においてコピー基本画面でインターシート機能が選択された場合の表示制御の流れを示す流れ図である。
【図７】本発明の一実施の形態に係る画像形成装置の操作表示部に表示される挿入紙選択画面の一例を示す説明図である。
【図８】本発明の一実施の形態に係る画像形成装置において挿入紙トレイが選択された状態のコピー基本画面の一例を示す説明図である。
【図９】本発明の一実施の形態に係る画像形成装置に表示される挿入紙サイズ設定画面の一例を示す説明図である。
【図１０】本発明の一実施の形態に係る画像形成装置に表示されるサイズ入力画面の一例を示す説明図である。
【図１１】本発明の一実施の形態に係る画像形成装置が行う、不定形サイズの表示および数値入力に関する処理の流れを示す流れ図である。
【図１２】従来のコピー基本画面の一例を示す説明図である。
【図１３】従来のインターシート設定画面の一例を示す説明図である。
【図１４】従来の挿入紙選択画面の一例を示す説明図である。
【符号の説明】
【００８２】
５…画像形成装置
１０…画像形成装置本体
１１…スキャナ部
１２…自動原稿送り装置
１３…プリンタ部
１４…給紙トレイ
１５…画像形成部
１６…搬送機構
１８…用紙センサ
１９…制御部
２０…本体制御部
２１…制御ＣＰＵ
２２…画像バス
２３…システムバス
２４…読み取り処理部
２５…書き込み処理部
２６…プログラムメモリ
２７…システムメモリ
２８…不揮発メモリ
３０…操作表示部
３１…ＶＲＡＭ
３２…ＬＣＤコントローラ
３５…ＦＮＳ制御部
４０…コピー基本画面
４１〜４７…設定欄
４５ａ…インターシートボタン
４７ａ〜４７ｅ…トレイ選択表示ボタン
４８…挿入紙情報表示欄
４９…用紙予約設定ボタン
５１…タグボタン
５１ａ…コピーのタグボタン
５２…基本情報表示部
６０…挿入装置
６１…排紙トレイ
６２…主搬送路
６３…挿入紙トレイ
６４…副搬送路
６５…挿入紙センサ
６６…制御部
７０…挿入紙選択画面
７１…ＯＫボタン
７２…挿入紙選択ボタン
７５…挿入紙予約設定ボタン
８０…挿入紙サイズ設定画面
８２…サイズ入力ボタン
９０…サイズ入力画面
９１…テンキー
【図１】
2008260132.tif 000003
【図２】
2008260132.tif 000004
【図３】
2008260132.tif 000005
【図４】
2008260132.tif 000006
【図５】
2008260132.tif 000007
【図６】
2008260132.tif 000008
【図７】
2008260132.tif 000009
【図８】
2008260132.tif 000010
【図９】
2008260132.tif 000011
【図１０】
2008260132.tif 000012
【図１１】
2008260132.tif 000013
【図１２】
2008260132.tif 000014
【図１３】
2008260132.tif 000015
【図１４】
2008260132.tif 000016